(57)【要約】【課題】  使い勝手を向上させた蓋の開閉構造を提供する。【解決手段】  窓１０を開閉させる蓋１５は、一端側で係合突起１６が係合孔１２ａに係合され、他端側で支承片１７が支承孔１３ａに支承されている。矢印Ｄ方向へ蓋１５を持ち上げると、係合突起１６と係合孔１２ａとの係合が解除され、蓋１５が支承片１７を回動中心として開き、支承片１７の規制突起と係合孔１３ａとが係合し、脱落が規制される。次いで、蓋１５を矢印Ｅ方向へ移動させることにより、支承片１７の規制突起と係合孔１３ａとの係合が強制的に解除され、蓋１５を窓１０から取り外すことができる。【選択図】  図４
2011233729.tif 000002
【特許請求の範囲】
【請求項１】
筺体に設けた矩形状の窓に着脱自在に支持される蓋を備え、前記窓の周縁の一部に設けた小穴に差し入れた挿入具により蓋を窓から外す蓋の開閉構造であって、
前記窓の内周縁の互いに対向する辺に係合孔および支承孔を設け、
前記蓋の外周縁に前記係合孔に係合する係合突起および前記支承孔に係入される支承片を設け、
前記支承片に前記支承孔からの脱落を一時的に規制する規制部を設け、
前記小穴から挿入した挿入具によって前記支承片を回動中心として前記蓋を回動させることにより前記係合孔と係合突起との係合を解除することを特徴とする蓋の開閉構造。
【請求項２】
前記係合孔に対する前記係合突起の係合は、前記蓋の面方向と直交する方向の移動によって解除され、前記規制部は、前記蓋の面方向の移動によって前記支承孔から外れることを特徴とする請求項１項記載の蓋の開閉構造。
【請求項３】
前記係合突起が前記係合孔に係合した状態で、前記支承片の規制部と前記支承孔との間に前記蓋が移動可能な遊びが設けられていることを特徴とする請求項１または２記載の蓋の開閉構造。
【請求項４】
前記規制部および前記支承孔に、支承孔と規制部との係合および係合解除を案内する案内部を設けたことを特徴とする請求項１ないし３のいずれか一項記載の蓋の開閉構造。
【発明の詳細な説明】
【技術分野】
【０００１】
本発明は、筺体に設けられた窓に装着され、窓の周縁に設けた穴に工具等を差し入れることによって着脱可能な蓋の開閉構造に関するものである。
【背景技術】
【０００２】
この種の蓋の開閉構造としては、例えば、特許文献１に記載されたものがある。すなわち、この特許文献１に記載されたものは、筺体の開口部の側縁近傍に形成された穴部と、この穴部の形成方向に沿って前記開口部の側面に垂設された可撓性を有する押圧板部と、前記開口部を閉塞する蓋の側縁近傍に開口部の側面に沿うように突設された可塑性の係止板部と、この係止板部の先端部および開口部の側面のそれぞれに設けられた係止手段とを備え、前記穴部に治具を挿入することにより、治具が前記係止板部を押圧し、前記係止手段の係止が解除されることにより、蓋が開口部を開くように構成されている。
【先行技術文献】
【特許文献】
【０００３】
【特許文献１】特開２００８−３４７１８号公報
【発明の概要】
【発明が解決しようとする課題】
【０００４】
上述したような従来の蓋の開閉構造においては、係止手段の係止が解除された蓋は開口部から外れるように構成されているため、蓋が開口部から脱落するおそれがあった。このため、筺体が家屋等の壁に取り付けられた状態で開口部を開ける作業を行う場合、一旦蓋を脱落させると蓋を探すという余計な作業が増えるから、蓋が脱落しないように注意を払う必要があるため使い勝手が悪いという問題があった。
【０００５】
本発明は上記した従来の問題に鑑みなされたものであり、その目的とするところは、使い勝手を向上させた蓋の開閉構造を提供するところにある。
【課題を解決するための手段】
【０００６】
この目的を達成するために、本発明は、筺体に設けた矩形状の窓に着脱自在に支持される蓋を備え、前記窓の周縁の一部に設けた小穴に差し入れた挿入具により蓋を窓から外す蓋の開閉構造であって、前記窓の内周縁の互いに対向する辺に係合孔および支承孔を設け、前記蓋の外周縁に前記係合孔に係合する係合突起および前記支承孔に係入される支承片を設け、前記支承片に前記支承孔からの脱落を一時的に規制する規制部を設け、前記小穴から挿入した挿入具によって前記支承片を回動中心として前記蓋を回動させることにより前記係合孔と係合突起との係合を解除するものである。
【０００７】
本発明は、前記発明において、前記係合孔に対する前記係合突起の係合は、前記蓋の面方向と直交する方向の移動によって解除され、前記規制部は、前記蓋の面方向の移動によって前記支承孔から外れるものである。
【０００８】
本発明は、前記発明のいずれか一つの発明において、前記係合突起が前記係合孔に係合した状態で、前記支承片の規制部と前記支承孔との間に前記蓋が移動可能な遊びが設けられているものである。
【０００９】
本発明は、前記発明のいずれか一つの発明において、前記規制部および前記支承孔に、支承孔と規制部との係合および係合解除を案内する案内部を設けたものである。
【発明の効果】
【００１０】
本発明によれば、小穴から挿入した挿入具によって支承片を回動中心として蓋を回動させることにより、係合孔と係合突起との係合を解除したとき、支承孔からの脱落を一時的に規制する規制部によって、蓋が筺体から脱落することがないから、脱落した蓋を探したり、蓋が脱落しないように注意を払ったりすることが不要になるため使い勝手が向上する。
【００１１】
前記発明のうちの一つの発明によれば、係合突起の係合解除をするための蓋の移動方向に対して、規制部を脱落させるための蓋の移動方向が異なるため、係合孔と係合突起との係合を解除したときに蓋の脱落を確実に規制できる。
【００１２】
前記発明のうちの一つの発明によれば、遊びによって蓋の開き角度を大きくすることができるため、蓋を取り外すための作業性が向上する。
【００１３】
前記発明のうちの一つの発明によれば、支承孔に対する支承片の取付けの際および取り外しの際に、案内部によって支承孔と規制部との係合および係合解除が案内されるから、支承孔に対する支承片の取付け、取り外しが容易になる。
【図面の簡単な説明】
【００１４】
【図１】本発明に係る蓋の開閉構造を採用した電子機器の一部を破断して示す斜視図である。
【図２】本発明に係る蓋の開閉構造を採用した電子機器の平面図である。
【図３】図２におけるIII-III 線断面図である。
【図４】図３におけるIV部の拡大図であって、同図（Ａ）は蓋を閉めた状態を示し、同図（Ｂ）は蓋を開けた状態を示す。
【図５】同図（Ａ）は図４（Ｂ）におけるV（Ｃ）-V（Ｃ） 線断面図であって、蓋の支承片を窓の支承孔に係入させる状態を示し、同図（Ｂ）は図４（Ａ）におけるV（Ｂ）-V（Ｂ）線断面図であって、蓋の支承片を窓の支承孔に係入させた状態を示し、同図（Ｃ）は図４（Ｂ）におけるV（Ｃ）-V（Ｃ） 線断面図であって、蓋の支承片を窓の支承孔から外そうとする状態を示す。
【図６】図２におけるVI部の蓋を取り外した状態を示す拡大図である。
【図７】図７は本発明に係る蓋を示し、同図（Ａ）は平面図、同図（Ｂ）は底面側から視た斜視図である。
【発明を実施するための形態】
【００１５】
以下、本発明の実施の形態を図１ないし図７に基づいて説明する。
【００１６】
図１に全体を符号１で示す電子機器は、一面（図中下面）が開口され浅底状に形成されたアッパーケース２と、一面（図中上面）が開口され浅底状に形成されたロアーケース３とを備え、これらケース２，３を互いの開口端が突き合わされるようにしてねじ５，５（図２参照）によって結合されることにより筺体４が形成される。アッパーケース２の一端部には、乾電池６を収容するための断面円弧状の膨出部２ａが設けられており、他端部には、両ケース２，３を結合するためのねじ５が挿通される底部を有する凹部２ｂ，２ｂが設けられている。７はロアーケース３側に実装されたプリント配線板であって、後述する窓１０に臨むようにディップスイッチ８が搭載されている。
【００１７】
アッパーケース２の中央部には、図６に示すように互いに対向する一対の短辺１０ａ，１０ｂおよび互いに対向する一対の長辺１０ｃ，１０ｄからなる長方形の窓１０が設けられている。この窓１０の内周縁には、図４に示すように、窓１０を囲むように囲い壁１１がロアーケース３側に向かって一体に垂設されており、この囲い壁１５の上端部（窓１０側の端部）には、後述する蓋１５を載置する段部１１ａ，１１ｂが設けられている。
【００１８】
囲い壁１１のうち短辺１０ａに対応した部位に設けられた壁１２の上部の中央部には、図４に示すように係合孔１２ａが設けられている。囲い壁１１のうち短辺１０ｂに対応した部位に設けられた壁１３の上部の中央部には、図４および図５（Ｂ）に示すように幅Ｗに形成された支承孔１３ａが設けられている。この支承孔１３ａの両端部には、後述するように、蓋１５を窓１０から取り外すときに、蓋１５の規制突起１８と支承孔１３ａとの係合を解除するように案内する案内部としてのテーパ部１３ｂ，１３ｂが設けられている。また、アッパーケース２の裏面には、蓋１５の支承片１７が支承孔１３ａに係入したときに、支承片１７を収容する凹部２ｃが凹設されている。
【００１９】
窓１０の短辺１０ｃの中央部には、蓋１５を窓１０から取り外すときに蓋１５の裏面側に先端部が先鋭状に形成された挿入具を差し入れるための小穴１４が設けられており、この小穴１４は指を挿入することができない程度の小さい径によって形成されている。
【００２０】
図７において、１５はプラスチックによって薄板状の長方形に形成された可撓性を有する蓋であって、外形が上述した窓１０よりもわずかに小さく形成されている。この蓋１５の互いに対向する短辺には、上記した係合孔１２ａに係合する係合突起１６と、上記した支承孔１３ａに係入される支承片１７とが一体に設けられている。
【００２１】
支承片１７の先端の両端部には、支承孔１３ａに係合して蓋１５の筺体４からの一時的な脱落を規制する規制部としての規制突起１８，１８が一体に突設されており、これら規制突起１８，１８の互いの先端間の距離Ｗ２は支承孔１３ａの幅Ｗよりもやや大きく形成されている。この規制突起１８，１８の突設方向（矢印Ａ−Ｂ方向）は、係合突起１６の突設方向（矢印Ｃ方向）と直交しており、互いの突設方向が異なっている。
【００２２】
これら規制突起１８，１８の頂部には、蓋１５を窓１０から取り外すときに、蓋１５の規制突起１８と支承孔１３ａとの係合を解除しやすくするために平面視半円状に形成した案内部としての面取部１８ａが設けられている。また、規制突起１８，１８には、支承片１７を弾性変形させながら支承孔１３ａに係合させやすくするための案内部としてのテーパ部１８ｂが設けられている。この支承片１７が支承孔１３ａに係入され、蓋１５の係合突起１６が係合孔１２ａに係合し、蓋１５により窓１０が閉じられた状態となることにより、規制突起１８と支承孔１３ａとの間には、蓋１５を距離Ｌだけ移動可能な遊びが設けられている。
【００２３】
次に、図２および図４ないし図６を用いて、このように構成された蓋の開閉構造における蓋の取付けおよび取り外しの動作について説明する。先ず、蓋を取り付けるための動作について説明する。この場合は、図４（Ｂ）に示すように支承片１７を下方側とするように蓋１５を傾斜させた状態で、図５（Ａ）に示すように支承片１７を弾性変形させながら支承片１７を支承孔１３ａに係入させ、支承片１７を凹部２ｃ内に収容する。このとき、支承片１７の規制突起１８にテーパ部１８ｂが設けられているため、支承片１７を支承孔１３ａに係入させる作業が容易になる。
【００２４】
支承孔１３ａに係入された支承片１７は、規制突起１８が支承孔１３ａと係合するので支承孔１３ａからの脱落が規制され、蓋１５は支承片１７を回動中心として係合孔１３ａに回動自在に支持される。したがって、支承片１７を回動中心として、蓋１５を図４（Ｂ）中時計方向へ回動させ、蓋１５を撓ませながら係合突起１６を、同図（Ａ）に示すように係合孔１２ａに係合させる。この状態で、蓋１５が囲い壁１１の段部１１ａに載置されて、窓１０が蓋１５によって閉じられる。
【００２５】
このように窓１０が蓋１５によって閉じられた電子機器１のロアーケース３側を図示を省略した家屋等の壁側に対向させるようにして、電子機器１を壁に取り付ける。この状態で、ディップスイッチ８による電子機器１の機能設定作業を行う場合は、窓１０に設けた小穴１４に挿入具の先鋭状に形成された先端部（いずれも図示を省略）を挿入し、先端部を蓋１５の裏面側に差し入れる。図４（Ａ）に示すように、挿入具の先端部で蓋１５を蓋１５の面方向と直交する矢印Ｄ方向へ持ち上げると、蓋１５が撓むため、同図（Ｂ）に示すように係合突起１６と係合孔１２ａとの係合が解除される。
【００２６】
上述したように、規制突起１８，１８の突設方向（矢印Ａ−Ｂ方向）は、係合突起１６の突設方向（矢印Ｃ方向）と直交しており、互いの突設方向が異なっている。したがって、係合孔１２ａに対する係合突起１６の係合は、蓋１５の面方向と直交する矢印Ｄ方向への移動によって解除されるが、規制突起１８と支承孔１３ａとの係合は、蓋１５の矢印Ｄ方向への移動によって解除されない。
【００２７】
このように、係合突起１６と係合孔１２ａとの係合が解除されても、図５（Ｃ）に示すように蓋１５の支承片１７の規制突起１８，１８が支承孔１３ａに係合されたままの状態が保持されるので、蓋１５は電子機器１から脱落するようなことがない。このため、電子機器１から脱落した蓋１５を探す手間や、蓋１５が脱落しないように注意を払う必要がないため使い勝手が向上する。
【００２８】
また、係合突起１６の係合を解除をするための蓋１５の移動方向に対して、規制突起１８を支承孔１３ａから脱落させるための蓋１５の移動方向が異なることにより、係合突起１６の係合を解除して蓋１５を開けたときに蓋１５の筺体４からの脱落を確実に規制できる。
【００２９】
係合突起１６と係合孔１２ａとの係合が解除されたら、図４（Ｂ）に示すように規制突起１８が支承孔１３ａに係合している支承片１７を回動中心として蓋１５を図中反時計方向へ回動させる。このとき、規制突起１８と支承孔１３ａとの間に間隔Ｌだけ、蓋１５が移動可能な遊びが設けられているため、係合突起１６と係合孔１２ａとの係合が解除された蓋１５の回動操作が容易になる。このため、蓋１５の開き角度を大きくすることができるから、この後の蓋１５を取り外すための作業が容易になる。
【００３０】
蓋１５をある程度開いたら、指で蓋１５を把持し、蓋１５を蓋１５の面方向と同じ矢印Ｅ方向へ移動させ、図５（Ｃ）に示すように支承片１７の規制突起１８と支承孔１３ａとの係合を強制的に解除することにより、蓋１５を窓１０から取り外す。このとき、規制突起１８に面取部１８ａが設けられ、かつ支承孔１３ａにテーパ部１３ｂが設けられているため、支承孔１３ａに対する規制突起１８の係合を解除する作業が容易になる。蓋１５を窓１０から取り外すことにより、図６に示すように開放された窓１０から工具等を差し入れてディップスイッチ８を操作することにより、電子機器１における機能の設定作業を行う。
【００３１】
なお、本実施の形態においては、小穴１４を窓１０の長辺１０ｃの中央部に設けたが、係合孔１２ａ側に設けてもよく、また係合孔１２ａが形成された短辺１０ａに設けてもよい。
【符号の説明】
【００３２】
１…電子機器、２…アッパーケース、３…ロアーケース、４…筺体、８…ディップスイッチ、１０…窓、１０ａ，１０ｂ…短辺、１０ｃ，１０ｄ…長辺、１１…囲い壁、１２ａ…係合孔、１３ａ…支承孔、１４…小穴、１５…蓋、１６…係合突起、１７…支承片、１８…規制突起。
【図１】
2011233729.tif 000003
【図２】
2011233729.tif 000004
【図３】
2011233729.tif 000005
【図４】
2011233729.tif 000006
【図５】
2011233729.tif 000007
【図６】
2011233729.tif 000008
【図７】
2011233729.tif 000009